(57)【特許請求の範囲】
【請求項１】
操作装置と合わせて使用する電子装置であって、
前記電子装置は、少なくとも一つの電極を有し、前記電極が非表示用の信号を印加することのできるアクティブマトリクス式の表示パネルと、
送信ユニットと受信ユニットを有する送受信モジュールとを備え、
前記電極は、前記アクティブマトリクス式の表示パネルにおける複数の行電極または複数の列電極のうちの一つであり、
前記電子装置と前記操作装置の間の情報交換方式は、
前記操作装置が前記電子装置の前記電極から送信される第一データをカップリングして受信するか、
または前記送信ユニットによって第二データを前記電子装置から前記操作装置に送信するか、
または前記受信ユニットによって前記操作装置から送信される第三データを受信するか、
のうち少なくとも一つであり、
前記操作装置が前記電子装置に接近またはタップした場合、前記第一データは前記アクティブマトリクス式の表示パネルの前記電極から前記操作装置に送信され、または、前記第二データは前記送信ユニットから前記操作装置に送信されることを特徴とする電子装置。
【請求項２】
前記操作装置は表示パネルを有し、前記操作装置は当該操作装置の前記表示パネルにおける少なくとも一つの電極により送信データを前記電子装置におけるもう一つの送受信モジュールにカップリングすることを特徴とする請求項１に記載の電子装置。
【請求項３】
データ伝送システムであって、
操作装置と、
アクティブマトリクス式の表示パネルと送受信モジュールを含む電子装置とを備え、
前記アクティブマトリクス式の表示パネルは少なくとも一つの電極を有し、前記電極が非表示用の信号を印加することができると共に、前記送受信モジュールは送信ユニットと受信ユニットを有し、
前記電極は、前記アクティブマトリクス式の表示パネルにおける複数の行電極または複数の列電極のうちの一つであり、
前記電子装置と前記操作装置の間の情報交換方式は、
前記操作装置によって前記電子装置の前記電極から送信される第一データをカップリングして受信するか、
または前記送信ユニットによって第二データを前記電子装置から前記操作装置に送信するか、
または前記受信ユニットによって前記操作装置から送信される第三データを受信するか、
のうち少なくとも一つであることを特徴とするデータ伝送システム。
【請求項４】
前記操作装置及び／または前記電子装置はもう一つの送受信モジュールを有し、前記もう一つの送受信モジュールは、有線または無線のエリアネットワークモジュール、ブルートゥースモジュール、通信ネットワークモジュール、無線周波モジュール、またはこれらのモジュールの組合せであり、前記操作装置は、少なくとも一つの信号伝送端子を有し、前記信号伝送端子は、拡張コネクタ、高解像度マルチメディアコネクタ、ミニディスプレイポート、ユニバーサルシリアルバス、ミニユニバーサルシリアルバス、ビデオ端子または電源入力端子、またはこれらの任意の組み合わせであることを特徴とする請求項３に記載のデータ伝送システム。
【請求項５】
前記操作装置は、単独の中央処理装置とオペレーティングシステムを有することを特徴とする請求項３に記載のデータ伝送システム。
【請求項６】
前記操作装置が前記電子装置に接近またはタップした場合、前記第一データは前記表示パネルの前記電極から前記操作装置に送信され、または、前記第二データは前記送信ユニットから前記操作装置に送信されることを特徴とする請求項３に記載のデータ伝送システム。
【請求項７】
前記操作装置は表示パネルを有し、前記操作装置は当該操作装置の前記表示パネルにおける少なくとも一つの電極によって送信データを前記電子装置におけるもう一つの送受信モジュールにカップリングすることを特徴とする請求項３に記載のデータ伝送システム。
【請求項８】
感知装置を更に備え、
ユーザが前記表示パネルにおいて操作する場合、前記感知装置は、前記ユーザによって前記電子装置の第四データを前記感知装置にカップリングし、第五データを前記電子装置または前記操作装置に送信することを特徴とする請求項３に記載のデータ伝送システム。
【請求項９】
前記操作装置は、ドッキングステーション、携帯電話、タブレット型パソコン、パーソナルコンピュータ、ユーザ、またはパーソナルデジタルアシスタントであることを特徴とする請求項３に記載のデータ伝送システム。
【請求項１０】
前記電子装置は、携帯電話、タブレット型パソコン、公共表示看板、広告看板、電子ホワイトボード、またはパーソナルデジタルアシスタントであることを特徴とする請求項３に記載のデータ伝送システム。
【発明の詳細な説明】
【技術分野】
【０００１】
本発明は、電子装置及びデータ伝送システムに関するものである。
【背景技術】
【０００２】
近年、消費者電子製品の応用性を拡大するために、業界の一部では電子装置の製品に近距離通信（または、近距離無線通信）機能を追加し始めている。このうち、近距離通信（または、近距離無線通信）は、ユーザの手の届く操作範囲内に、実際の回路接続をせずに、例えば、コマンド、音楽、写真、名刺、データ、またはファイルなどの情報を電子装置から他の電子装置に伝送する伝送ルートを提供することができる。これらの機能は、電子装置に伝送の利便性を備えさせる以外に、その応用性をも向上させることができ、例えば、ＩＣカードを頻繁に使用する場合の代替手段となり得る。また、アクセス制御、チケット、入場券、クレジットカード決済、または広告メッセージを受信するなどの場合に、例えば、売り場のスクリーンからブルートゥース（登録商標）通信を介してクーポンを受け取るなどの場合にも応用される。
【０００３】
近距離通信機能を有する電子装置製品は、ますます必然的な傾向となっている。従って、如何に新しい構造の近距離通信機能を有する電子装置を提供し、より多くのデータ伝送ルートを有することができ、電子装置の応用性を拡大できるようにするかが、この業界のメーカーが積極的に見つけようとしている解決策である。
【発明の概要】
【発明が解決しようとする課題】
【０００４】
本発明の目的は、新しい構造の電子装置とデータ伝送システムを提供し、このシステムは近距離の無線データ伝送方式を提供し、近距離のデータまたはファイルの伝送に用いられると共に、更に既存の通信伝送システムと合わせて使用して、長距離のデータ交換の効果を達することができるようにすることである。この構成を有する電子装置により、例えば、データまたはファイルを信号カップリングの方式によって、近距離内で他の電子装置に送信し、その後、他の通信方法を用いてデータを伝送することで、電子装置の応用性を拡大させることである。
【課題を解決するための手段】
【０００５】
本発明は、以下の技術方式によって実現される。
【０００６】
本発明に係る電子装置は、操作装置と合わせて使用される。電子装置はアクティブマトリクス式の表示パネルと送受信モジュールを備え、表示パネルは少なくとも一つの電極を有し、前記電極が非表示用の信号を印加することができる。送受信モジュールは送信ユニットと受信ユニットを有する。前記電極は、前記アクティブマトリクス式の表示パネルにおける複数の行電極または複数の列電極のうちの一つである。電子装置と操作装置の間の情報交換方式は、操作装置によって電極から送信される第一データをカップリングして受信するか、または送信ユニットによって第二データを電子装置から操作装置に送信するか、または受信ユニットによって操作装置から送信される第三データを受信するか、のうち少なくとも一つである。
【０００７】
本発明の一実施例において、電極は、表示パネルにおける独立電極であり、または、表示パネルにおける複数の行電極または複数の列電極のうちの一つである。
【０００８】
本発明の一実施例において、操作装置及び／または電子装置はもう一つの送受信モジュールを有する。もう一つの送受信モジュールは有線または無線のエリアネットワークモジュール、ブルートゥースモジュール、通信ネットワークモジュール、無線周波モジュール、またはこれらのモジュールの組合せである。
【０００９】
本発明の一実施例において、操作装置が電子装置に接近またはタップした場合、第一データは表示パネルの電極から操作装置に送信され、または、第二データは送信ユニットから操作装置に送信される。
【００１０】
本発明の一実施例において、送受信モジュールは電子装置の表示パネルから離れた側に設置される。
【００１１】
本発明の一実施例において、操作装置は、もう一つの表示パネルを有し、もう一つの表示パネルにおける少なくとも一つの電極により送信データを電子装置におけるもう一つの送受信モジュールにカップリングする。
【００１２】
本発明の一実施例において、電子装置は、携帯電話、タブレット型パソコン、公共表示看板、広告看板、電子ホワイトボード、またはパーソナルデジタルアシスタントである。
【００１３】
上記目的を達成するために、本発明に係るデータ伝送システムは、操作装置と電子装置を備える。電子装置は、少なくとも一つの電極を有し、前記電極が非表示用の信号を印加することができるアクティブマトリクス式の表示パネルと、送信ユニットと受信ユニットを有する送受信モジュールと、を含む。前記電極は、前記アクティブマトリクス式の表示パネルにおける複数の行電極または複数の列電極のうちの一つである。電子装置と操作装置の間の情報交換方式は、操作装置によって電極から送信される第一データをカップリングして受信するか、または送信ユニットによって第二データを電子装置から操作装置に送信するか、または受信ユニットによって操作装置から送信される第三データを受信するか、のうち少なくとも一つである。
【００１４】
本発明の一実施例において、操作装置は少なくとも一つの信号伝送端子を有し、信号伝送端子は、拡張コネクタ、高解像度マルチメディアコネクタ、ミニディスプレイポート、ユニバーサルシリアルバス、ミニユニバーサルシリアルバス、ビデオ端子、または電源入力端子などを含み、その他の周辺装置に接続される。
【００１５】
本発明の一実施例において、操作装置は、単独の中央処理装置とオペレーティングシステムを有する。
【００１６】
本発明の一実施例において、操作装置が電子装置に接近またはタップした場合、第一データは表示パネルの電極から操作装置に送信され、または、第二データは送信ユニットから操作装置に送信される。
【００１７】
本発明の一実施例において、データ伝送システムは感知装置を更に備え、ユーザが表示パネルにおいて操作する場合、感知装置はユーザによって、電子装置の第四データを感知装置にカップリングする。
【００１８】
本発明の一実施例において、感知装置は第五データを電子装置、または操作装置に送信する。
【００１９】
本発明の一実施例において、操作装置は、ドッキングステーション、携帯電話、タブレット型パソコン、パーソナルコンピュータ、ユーザ、またはパーソナルデジタルアシスタントである。
【発明の効果】
【００２０】
上述したように、本発明に係る電子装置とデータ伝送システムにおいて、電子装置と操作装置の間の情報交換方式は、下記方式のうちの少なくとも一つである。即ち、操作装置によって電極から送信される第一データをカップリングして受信するか、または送信ユニットによって第二データを電子装置から操作装置に送信するか、または受信ユニットによって操作装置から送信される第三データを受信するか、のうちの少なくとも一つである。上記の構成によって、近距離の無線データ伝送方式を提供し、近距離のデータまたはファイルの伝送に用いられると共に、更に既存の通信伝送システムと合わせて使用して、長距離のデータを交換する効果を達することができる。本発明の一実施例において、例えば、この構造を有する電子装置は、データまたはファイルを信号カップリングの方式によって、近距離内で他の電子装置に送信し、その後、他の通信方法を用いてデータを伝送することで、電子装置の応用性を拡大させる。
【図面の簡単な説明】
【００２１】
【図１Ａ】本発明の好ましい実施例に係るデータ伝送システムの機能ブロック図である。
【図１Ｂ】本発明の好ましい実施例に係るデータ伝送システムを示す図である。
【図２】本発明の他の実施例に係るデータ伝送システムの機能ブロック図である。
【図３】本発明の他の実施例に係るデータ伝送システムの機能ブロック図である。
【発明を実施するための形態】
【００２２】
関連する図面を参照しながら、本発明の好ましい実施例に係る電子装置とデータ伝送システムを以下の通りに説明し、このうち同じ部材は同じ符号を付して説明する。
【実施例１】
【００２３】
図１Ａと図１Ｂを参照されたい。図１Ａは本発明の好ましい実施例に係るデータ伝送システムの機能ブロック図であり、図１Ｂは本発明の好ましい実施例に係るデータ伝送システムを示す図である。
【００２４】
データ伝送システムは電子装置１と操作装置２を含み、二者は互いに接続される。その接続方式は、物理的な電気接続、または無線カップリングによる電気接続である。これにより、電子装置１と操作装置２の間にデータまたはファイルの伝送ルートを作ることができる。電子装置１内と操作装置２内には、例えば、各々にプロセス制御システム、記憶システム、または送信システムなどの機能性システムを有することができる。ここにおける「システム」は、ハードウェア、ソフトウェア、ファームウェア、またはこれらの組み合わせによって構成される。
【００２５】
電子装置１は単独の中央処理装置とオペレーティングシステムを有し、単独動作の機能を有する。操作装置２は、例えば、受動素子、または単独の中央処理装置とオペレーティングシステムを有し、単独動作の機能を有することもできる。電子装置１は、例えば、携帯電話、タブレット型パソコン、公共表示看板、広告看板、電子ホワイトボード、またはパーソナルデジタルアシスタントであり、操作装置２は、例えば、ドッキングステーション（docking）、携帯電話、タブレット型パソコン、パーソナルコンピュータ、ユーザ（特に、ユーザの手）、またはパーソナルデジタルアシスタントである。本実施例では、図１Ｂに示すように、電子装置１はタブレット型パソコンを例とし、操作装置２はタブレット型パソコンに接続されるドッキングステーションを例とし、二者は端子によって物理的な接続方式で電気的に接続される。操作装置２は、ユーザと受信装置を合わせたもの（例えば、ユーザが着用または手持ちする）とすることができ、即ち、操作装置２は、ユーザの使用において、信号を送信するキャリアとして用いられる。
【００２６】
図１Ａに示すように、電子装置１は表示パネル１１と送受信モジュール１２を含む。表示パネル１１は液晶表示パネルまたは有機発光ダイオードディスプレイパネルであり、送受信モジュール１２は、例えば、電子装置１の表示パネル１１から離れた側に設置され（例えば、電子装置１の背面に設置される）、送信ユニット１２１と受信ユニット１２２を有する。更に、操作装置２にももう一つの送受信モジュール（図示されない）を設け、その送受信モジュールも送信ユニットと受信ユニットを有することができる。ここでは、電子装置１にももう一つの送受信モジュールを設けることができ、それと操作装置２の他の送受信モジュールは比較的に長距離の通信モジュールを含み、例えば、有線または無線のエリアネットワークモジュール（無線ネットワークモジュールは、例えば、ＷＩ−ＦＩ 、またはＷＬＡＮなど）、ブルートゥースモジュール、通信ネットワークモジュール、無線周波モジュール、またはこれらのモジュールの組合せを含み、また、これらに限定されるものではない。注意すべきことは、本発明に係る送受信モジュールは、その機能によって区別され、例えば、送受信モジュール１２ともう一つの送受信モジュールを設けることもできる。実際の応用では、異なる機能の送受信モジュールを統合し、単独の送受信モジュールとすることができ、このような応用は、本発明の特許請求の範囲内に含まれる。
【００２７】
表示パネル１１は、少なくとも一つの電極１１１を有し、画素マトリックスを有する。画素マトリックスはアクティブマトリクス（active matrix）、またはパッシブマトリクス（passive matrix）であることができ、これに限定されるものではない。また、表示パネル１１は複数の列電極（例えば、走査線である。図示されない）と、複数の行電極（例えば、データ線である。図示されない）と、複数の画素電極を含むことができ、複数の列電極と複数の行電極は交互に配置される。表示パネル１１は複数のトランジスタ（図示されない）を更に含み、複数のトランジスタはそれぞれ複数の行電極と、複数の列電極と、複数の画素電極に電気的に接続される。ここにおいて、電極１１１は表示パネル１１における独立電極であり、または、表示パネル１１における複数の行電極または複数の列電極のうちの一つであり、さらにまた、これらに限定されるものではない。電子装置１は表示パネル１１における電極１１１によって、電磁カップリング（例えば、コンデンサカップリング、または誘導カップリング）を使用して、第一データＦＤを送信することができる。操作装置２が表示パネル１１の表示面において操作される場合（タップ、またはタップしなくてもよい）、第一データＦＤは電子装置１における表示パネル１１の電極１１１から操作装置２にカップリングされる。ここにおいて、第一データＦＤはエンコーダ信号であり、例えば、電子装置１における表示画面に関する座標情報、またはその他の送信すべきデータ又はファイルである。カップリングは、多くの場合、無線の方式によって、近接場（Near Field）の信号を形成して送信する。当然、その他の応用の場合、第一データＦＤは任意の送信すべき情報から構成することができ、例えば、タッチコントロール情報、コマンド情報、識別情報、取引情報、またはファイル情報（音楽、画像、テキストなど）などの情報である。
【００２８】
第一データＦＤは表示パネル１１の電極１１１に印加され、当然のことながら、表示パネル１１には他に表示用のデータ信号を加えることによって、画像を表示する。第一データＦＤは、例えば、表示データ信号を印加する時の帰線期間（blanking time）に印加される。例えば、二つのフレーム（frame）の間の帰線期間、または、二つの列電極のスキャンの帰線期間、または表示信号の印加時間を短縮する際に生じる帰線期間、または表示信号に周波数が表示信号より高い信号を直接に重ね合わせる。
【００２９】
電子装置１は制御モジュール（図示されない）を更に含むことができ、制御モジュールは表示パネル１１と送受信モジュール１２に電気的に接続される。制御モジュールは、電子装置１のコア制御装置を備えると同時に、少なくとも一つの中央処理装置（central processing unit,  CPU）及びメモリを含み、または、その他の制御ハードウェア、ソフトウェアまたはファームウェアを含み、電子装置１の全ての作動を起動且つ制御する。
【００３０】
本発明のデータ伝送システムにおいて、電子装置１と操作装置２の間の情報交換方式は、少なくとも下記方式のうちの一つである。即ち、操作装置２によって電極１１１から送信される第一データＦＤをカップリングして受信するか、または送信ユニット１２１によって第二データＳＤを電子装置１から操作装置２に送信するか、または受信ユニット１２２によって操作装置２から送信される第三データＴＤを受信するか、のうちの少なくとも一つである。
【００３１】
つまり、本発明のデータ伝送システムにおいて、操作装置２が電子装置１に接近またはタップした場合、電子装置１の第一データＦＤは表示パネル１１の電極１１１から信号カップリングの方式によって操作装置２に送信され、または、電子装置１の第二データＳＤは送信ユニット１２１から操作装置２に送信され、または電子装置１の受信ユニット１２２によって操作装置２から送信される第三データＴＤ（第三データＴＤは、例えば、その他の装置から操作装置２に伝送され、または操作装置２自身に所有されることができる）を受信することができる。第一データＦＤと、第二データＳＤと、第三データＴＤの伝送ルートは異なるので、互いに影響または干渉することなく、三つのデータを同時にまたは不同時に伝送することができ、前後順序とは関係ない。その伝送内容と信号形式は同じでも、または同じでなくても良い。操作装置２が受信した第一データＦＤと第二データＳＤは処理されて、第三データＴＤを得ることができる。仮に、必要であれば、第三データＴＤは電子装置１にフィードバックすることができ、電子装置１の受信ユニット１２２に受信される。例を挙げると、電子装置１が写真を操作装置２に送信する場合、電子装置１は、まず、前記写真をエンコードし、表示パネル１１の電極１１１によって、エンコーダ信号を操作装置２にカップリングさせ、操作装置２がこのエンコーダ信号を受信し、この写真を得る。または、電子装置１は、送信ユニット１２１によって、写真を操作装置２に送信することができる。伝送のルートと信号は異なるが、操作装置２で得られる写真は同じである。操作装置２がこの写真を受信した後、例えば、応答メッセージを送信することができる。この応答メッセージは、電子装置１の受信ユニット１２２によって受信され、この写真を確実に受け取ったことを電子装置１に通知するためのものである。電子装置１は、まず、データを第一部分データと第二部分データに分割することができ、第一部分データと第二部分データをそれぞれ表示パネル１１の電極１１１と送信ユニット１２１によって操作装置２に送信してから、操作装置２を介して完全なデータとして組合わせる。ただし、これに限定されるものではない。
【００３２】
図１Ｂに示すように、本実施例の操作装置２は少なくとも一つの信号伝送端子Ｃを有し、信号伝送端子Ｃは、例えば、拡張コネクタ（dock connector）、高解像度マルチメディアコネクタ［HDMI（登録商標）コネクタ］、ミニディスプレイポート、ユニバーサルシリアルバス（universal serial bus, USB)、ミニユニバーサルシリアルバス（micro universal serial bus, micro USB)、ビデオ端子（AV端子）、電源入力端子、またはそれらの任意組み合わせなどを含み、その他の周辺装置に接続することができる。拡張コネクタは、例えば、３０ピンコネクタであり、Apple（登録商標）社が生産したiPad（登録商標）、またはiPhone（登録商標）に接続することができる。よって、操作装置２は信号伝送端子Ｃによって、出力装置または入力装置（例えば、マウス、キーボード、プリンタ、またはその他のデータ生成、受信装置）に接続され、電子装置１の機能を拡張させる。当然、電子装置１も上記の信号伝送端子を有し、導線によって操作装置２またはその他の周辺電子装置に物理的に接続させることができる。
【００３３】
その他の実施の形態において、操作装置２はユーザともう一つの電子装置（図示されない）を含み、ユーザの手は同時に電子装置１における表示パネル１１の表示面ともう一つの電子装置にタップすることによって、第一データＦＤをもう一つの電子装置に送信することができる。つまり、ユーザをキャリアとし、データをその他の電子装置に送信する。実際の作動は、例えば、ユーザの右手が表示パネル１１の表示面において操作し、左手がもう一つの電子装置に触れる。そうすると、信号はユーザの右手から身体に入り、ユーザの左手から出て、人体を信号伝送の媒体として使用する。
【実施例２】
【００３４】
次に、図２を参照されたい。図２は本発明の他の実施例に係るデータ伝送システムの機能ブロック図である。
【００３５】
図1Ａに示されるデータ伝送システムとの主な違いは、図２に示されるデータ伝送システムの操作装置２ａは、送受信モジュール２１と、もう一つの送受信モジュール２２と、表示パネル２３を含むことができ、電子装置１ａは更に他の送受信モジュール１３を含むことができる。ここにおいて、操作装置２ａは、例えば、携帯電話であり、送受信モジュール２２ともう一つの送受信モジュール１３は、例えば、それぞれ、有線または無線エリアネットワークモジュール、ブルートゥースモジュール、通信ネットワークモジュール、無線周波モジュール、またはこれらのモジュールの組合せであり、データまたはファイルの伝送をする。
【００３６】
操作装置２ａの送受信モジュール２１は送信ユニット２１１と受信ユニット２１２を有する。操作装置２ａの受信ユニット２１２は、電子装置１ａの送信ユニット１２１により送信される第二データＳＤを受信し、電子装置１ａの受信ユニット１２２は、操作装置２ａの送信ユニット２１１により送信される第三データＴＤを受信し、例えば、近距離のファイル交換またはデータ交換の目的を達する。操作装置２ａのもう一つの送受信モジュール２２と電子装置１ａの他の送受信モジュール１３は各々、例えば、長距離通信モジュールであり、長距離のデータ交換に使用される。例えば、電子装置１ａの送受信モジュール１３によって、ファイルまたはデータをクラウド設備に送信し、さらに、操作装置２ａによって前記クラウド設備に繋ぐことで、クラウド設備は、送受信モジュール２２を介して、電子装置１ａにおける送受信モジュール１３が送信したファイルまたはデータを受信し、長距離のデータ交換の目的を達する。
【００３７】
また、操作装置２ａの表示パネル２３は少なくとも一つの電極２３１を有し、表示パネル２３は、電極２３１を介して、送信データＤＤをカップリングによって電子装置１ａに送信して、送信データＤＤが電子装置１ａにより受信される。操作装置２ａが電子装置１ａの電極１１１により送信された第一データＦＤを受信した場合、送信データＤＤは第一データＦＤの応答信号であることができる。または、操作装置２ａが電子装置１ａにより送信された第二データＳＤを受信した場合、第三データＴＤ、または送信データＤＤも第二データＳＤの応答信号であることができる。ここにおいて、応答信号は、電子装置１ａに操作装置２ａの受信状態を通知するためのメッセージであり、または、操作装置２ａに信号受信の準備をするように通知するためのメッセージであり、または、操作装置２ａと電子装置１ａの間の同期用信号であることができる。こうして、信号の送信と受信の間に相互にハンドシェイクを行うことができる。また、応答信号は二者同期機能を兼ね備えることで、情報ハンドシェイク（information handshaking）過程を構成することができる。また、第一データＦＤが仮に操作装置１ａの表示画面に関する座標情報を含む場合、第三データＴＤ、または送信データＤＤも前記座標の情報を含むことができる（例えば、タッチコントロール情報）。
【００３８】
次に、広告システムを例として、図２のデータ伝送システムについて説明する。ここにおいて、電子装置１ａは、例えば、広告用の大型のパブリックディスプレイ（public display）であり、空港や駅の近くにあるホテルまたはレストランの情報を、観光客に、または予約者に提供することができる。操作装置２ａは、例えば、携帯電話、タブレットＰＣ、またはその他の個人的に使用される携帯型電子装置である。
【００３９】
電子装置１ａは、空港や駅の近く、またはその他の地域にあるホテルまたはレストランの情報を提供することができ、この場合、電子装置１ａの表示パネル１１（または送信ユニット１２１）を伝送媒体として使用することができる。ユーザが検索してターゲットを見つけた場合、ユーザは、携帯電話、タブレットＰＣ、またはその他の個人的に使用される携帯型電子装置（操作装置２ａ）を介して、且つ操作装置２ａの受信ユニット２１２をこのパブリックディスプレイ（表示パネル１１）に接近またはタップすることによって、第一データＦＤ（例えば、住所、地図、クーポン、ＱＲ（登録商標）コード（quick response code）、画像、ビデオ、アニメーション、テキストなど）を操作装置２ａにダウンロードし、持ち帰ることができ、或いはまた、操作装置２ａの受信ユニット２１２をこのパブリックディスプレイに接近またはタップし、電子装置１ａの送信ユニット１２１によって、第二データＳＤ（例えば、住所、クーポン、ＱＲ（登録商標）コード（quick response code）、画像、ビデオ、アニメーション、テキストなど）を操作装置２ａの受信ユニット２１２にダウンロードし、持ち帰ることができる。ダウンロードが完了したら、送信データＤＤ（応答メッセージ）を操作装置２ａにおける表示パネル２３の少なくとも一つの電極２３１によって、電子装置１ａにフィードバックし、または操作装置２ａにおける送受信モジュール２１の送信ユニット２１１を介して、第三データＴＤ（応答メッセージ）を受信ユニット１２２にフィードバックすることで、全ての送受信プロセスを完了させる。または、ユーザが別の場所に到着した場合、操作装置２ａの送受信モジュール２２によって応答データＲＳをクラウドに送信して、電子装置１ａに通知し、電子装置１ａの送受信モジュール１３によってクラウドからこの応答データＲＳを受信する。
【００４０】
次に、商品販売のチェックアウトシステムを例とする。ユーザは、操作装置２ａの送受信モジュール２１によって、電子装置１ａの送信ユニット１２１（または表示パネル１１）に接近またはタップし、必要な商品情報（第二データＳＤ、または第一データＦＤ）を受信してからチェックアウトカウンターで注文情報（第三データＴＤ、または送信データＤＤ）を電子装置にフィードバックすることより（必ずしも電子装置１ａにフィードバックしなくても良く、その他の電子装置にフィードバックすることもできる）、注文を完了する。即ち、ユーザは、操作装置２ａの送受信モジュール２１を電子装置１ａの送信ユニット１２１（または表示パネル１１）に接近またはタップさせることによって、広告情報、特恵情報、地理情報などの情報を携帯電話、タブレットＰＣ、またはその他の個人的に使用される携帯型電子装置に送信させることができる。次に、ユーザは、再度操作装置２ａを介して、同様のデータ交換プロセスを使用し、対応する注文情報（第三データＴＤ、または送信データＤＤ）を電子装置１ａにおける受信ユニット１２２、送受信モジュール１３、またはその他の同様のデータ交換機能を有する電子装置１ａに送信することができる。最後に、電子装置１ａは注文完了後に、電子装置１ａの送受信モジュール１３と操作装置２ａの送受信モジュール２２を介して、消費者にこの注文取引はすでに完了したことを通知することができる。
【実施例３】
【００４１】
次に、図３を参照されたい。図３は本発明の他の実施例に係るデータ伝送システムの機能ブロック図である。
【００４２】
図１Ａに示すデータ伝送システムとの主な違いは、図３に示すデータ伝送システムは感知装置３を更に含むようにしたことである。ユーザが電子装置２の表示パネル１１において操作する場合、電子装置１は、前記ユーザの皮膚タップによって、第四データＦＯＤを感知装置３にカップリングして送信する。ここにおいて、感知装置３は、例えば、ユーザの手にブレスレットとして装着されることができる。ユーザが表示パネル１１において操作する場合、ブレスレット（感知装置３）によって、電子装置１の第四データＦＯＤを感知装置３にカップリングまたは送信することができる。ブレスレット（感知装置３）内には処理回路を設けることもでき、処理回路は第四データＦＯＤを処理して第五データＦＩＤを取得し、更にブレスレット（感知装置３）によって、第五データＦＩＤを電子装置１または操作装置２に送信することができる。ここにおいて、図３は第五データＦＩＤを操作装置２に送信する形態を例とする。
【００４３】
また、図２と図３のデータ伝送システムにおけるその他の技術的特徴は上記図１Ａに示すデータ伝送システムを参照できるので、ここでは繰り返して述べない。
【００４４】
上述をまとめると、本発明に係る電子装置とデータ伝送システムにおいて、電子装置と操作装置の間の情報交換方式は、少なくとも下記方式のうちの一つであり、即ち、操作装置によって表示パネルの電極から送信される信号をカップリングして受信し第一データを取得するか、または送信ユニットによって第二データを電子装置から操作装置に送信するか、または受信ユニットによって操作装置から送信される第三データを受信するか、のうちの少なくとも一つである。本発明は上記の構成によって、近距離の無線データ伝送方式を提供し、近距離のデータ伝送、またはファイル伝送に用いられると共に、更に既存の通信伝送システムと合わせて使用して、長距離のデータ交換の効果を達することができる。本発明の一実施例において、この構成を有する電子装置は、例えば、データまたはファイルを信号カップリングの方式によって、近距離内において他の電子装置に送信し、その後、他の通信方法を用いてデータを伝送することで、電子装置の応用性を拡大させることができる。
【００４５】
上記実施例は例示的なものであって、限定するためのものではない。本発明の技術的思想および範囲から逸脱することなく行われる等価の修正または変更は、いずれも別紙の特許請求の範囲に含まれる。
【符号の説明】
【００４６】
１、１ａ        電子装置
１１、２３      表示パネル
１１１、２３１  電極
１２、１３、２１、２２  送受信モジュール
１２１、２１１  送信ユニット
１２２、２１２  受信ユニット
２、２ａ        操作装置
３              感知装置
Ｃ              信号伝送端子
ＤＤ            送信データ
ＦＤ            第一データ
ＦＩＤ          第五データ
ＦＯＤ          第四データ
ＲＳ            応答データ
ＳＤ            第二データ
ＴＤ            第三データ
【図１Ａ】
0005951775.tif 000002
【図１Ｂ】
0005951775.tif 000003
【図２】
0005951775.tif 000004
【図３】
0005951775.tif 000005